(57)【要約】【課題】  アナログメータの外周を円弧状に照明しつつ、視認性に優れ、かつコンパクト化が可能な車載用計測器を提供すること。【解決手段】  車載用計測器１は、前方に開口部１２ａ，１２ｂを有する空間１１ａ，１１ｂがハウジング１０に形成され、空間１１ａ，１１ｂにスピードメータ２及びタコメータ３が組み込まれ、開口部１２ａ，１２ｂの外周に円弧状の導光板１４ａ，１４ｂが設けられ、スピードメータ２及びタコメータ３の文字板５ａ，５ｂが前方から導光板１４ａ，１４ｂを覆うとともに開口部１２ａ，１２ｂを閉成し、スピードメータ２及びタコメータ３の透光性を有する表示文字６ａ，６ｂ又は目盛７ａ，７ｂが、文字板５ａ，５ｂ上の導光板１４ａ，１４ｂを覆う位置に配されて、導光板１４ａ，１４ｂ内を伝播する光によって透過照明される。【選択図】      図２
2006194613.tif 000002
【特許請求の範囲】
【請求項１】
前方に開口部を有する空間がハウジングに形成され、前記空間にアナログメータが組み込まれた車載用計測器であって、
前記開口部の外周に円弧状の導光体が設けられ、前記アナログメータの文字板が前方から前記導光体を覆うとともに前記開口部を閉成し、
前記アナログメータの透光性を有する表示文字群又は目盛群が、前記文字板上の前記導光体を覆う位置に配されて、該導光体内を伝播する光によって後方から透過照明されることを特徴とする車載用計測器。
【請求項２】
請求項１に記載の車載用計測器において、
前記アナログメータに隣接して液晶表示部が設けられ、
前記導光体が前記液晶表示部の前方に一部重なるように配されていることを特徴とする車載用計測器。
【発明の詳細な説明】
【技術分野】
【０００１】
本発明は、自動車等の車両に搭載されて車速や走行距離等の種々のメータ情報を表示する車載用計測器に関する。
【背景技術】
【０００２】
従来より、自動車等の車両に搭載されて車速や走行距離等の種々のメータ情報を表示する車載用計測器として、正面視円弧状のアナログメータの外周を円弧状に照明するものが知られている（例えば、特許文献１参照）。
【０００３】
この特許文献１に記載の車載用計測器（車両用コンビネーションメータ）では、リング状の導光板がタコメータ等のアナログメータ（指示計器）の文字板上に固定されて、アナログメータの表示部の周囲をリング照明するようになっている。このようなリング照明は、見栄えがよく、車載用計測器の意匠性の向上を図ることができる等の点で優れる。
【０００４】
しかしながら、このような従来の車載用計測器では、アナログメータの表示文字群や目盛群の存する表示部の外周に導光板を配するエリアを別途設ける必要があるため、車載用計測器自体の大型化を招来することとなる。特に、複数のアナログメータを有するコンビネーションメータの場合は、各アナログメータがそれぞれ大型化することとなるため、これに伴う重量の増加等与える影響が大きい。
【０００５】
一方、この大型化を免れるためにアナログメータの表示部の径をその分小さくすることも考えられるが、それでは、アナログメータの視認性を劣化させるという問題が生じる。
【特許文献１】特開平１０−１９７６７１号公報
【発明の開示】
【発明が解決しようとする課題】
【０００６】
本発明は、このような問題に鑑みてなされたもので、アナログメータの外周を円弧状に照明しつつ、視認性に優れ、かつコンパクト化が可能な車載用計測器を提供することを課題としている。
【課題を解決するための手段】
【０００７】
このような課題を解決するために、請求項１に記載の発明は、前方に開口部を有する空間がハウジングに形成され、前記空間にアナログメータが組み込まれた車載用計測器であって、前記開口部の外周に円弧状の導光体が設けられ、前記アナログメータの文字板が前方から前記導光体を覆うとともに前記開口部を閉成し、
前記アナログメータの透光性を有する表示文字群又は目盛群が、前記文字板上の前記導光体を覆う位置に配されて、該導光体内を伝播する光によって後方から透過照明されることを特徴とする。
【０００８】
請求項２に記載の発明は、請求項１に記載の車載用計測器において、前記アナログメータに隣接して液晶表示部が設けられ、前記導光体が前記液晶表示部の前方に一部重なるように配されていることを特徴とする。
【発明の効果】
【０００９】
本発明によれば、アナログメータの外周を円弧状に照明しつつ、視認性に優れ、かつコンパクト化が可能な車載用計測器を提供することができる。
【発明を実施するための最良の形態】
【００１０】
以下、図面を参照して本発明を実施するための最良の形態について説明する。  
【００１１】
図１は本実施の形態に係る車載用計測器を前方から見た状態を示す。この車載用計測器１は、自動車の車両の運転席正面に設けられるコンビネーションメータである。車載用計測器１では、その正面の左右にそれぞれアナログ式のスピードメータ（アナログメータ）２と、同じくアナログ式のタコメータ（アナログメータ）３とが配され、その中央に液晶の表示部４が設けられている。スピードメータ２は、文字板５ａ上に記された表示文字（表示文字群）６ａ及び目盛（目盛群）７ａと、これらの表示文字６ａ及び目盛７ａを指し示す指針８ａとによって、車速を表示するようになっている。また、タコメータ３は、文字板５ｂ上に記された表示文字（表示文字群）６ｂ及び目盛(目盛群)７ｂと、これらの表示文字６ｂ及び目盛７ｂを指し示す指針８ｂとによって、エンジンの回転数を表示するようになっている。さらに、液晶表示部４は、Ａ／Ｔポジション、燃料残量、走行距離等の車両のメータ情報を表示するようになっている。
【００１２】
この車載用計測器１のハウジング１０には、図２で示すように、両サイドに前方に開放した空間１１ａ，１１ｂが形成され、その中央にこれら空間１１ａ，１１ｂと隣接して、同じく前方に開放した空間１１ｃが形成されている。空間１１ａ，１１ｂの開口部１２ａ，１２ｂはそれぞれ正面視円弧状を呈し、これらの空間１１ａ及び空間１１ｂにはスピードメータ２及びタコメータ３がそれぞれ組み込まれる。一方、空間１１ｃの開口部１２ｃは正面視長方形状を呈し、液晶１３がこの開口部１２ｃを閉成して、空間１１ｃに液晶表示部４が組み込まれる。
【００１３】
スピードメータ２及びタコメータ３には、その開口部１２ａ，１２ｂの外周に沿うように正面視円弧状（リング状）の導光板（導光体）１４ａ，１４ｂがそれぞれ設けられ、開口部１２ａ，１２ｂを縁取るようになっている。この導光板１４ａ，１４ｂは、例えば透明なアクリル樹脂により射出成形され、図３に示すように、それぞれ円弧状の導光路１５と、その両端に設けられた入射部１６とを有している。この導光板１４ａ，１４ｂをスピードメータ２及びタコメータ３に取り付ける際には、円弧状の導光路１５を開口部１２ａ，１２ｂの外周に沿わせるとともに、入射部１６が空間１１ａ，１１ｂの外部に配されるようにする。
【００１４】
導光路１５の底面では光が反射するように、例えばシボ、フレネル、塗装等の加工処理が施されている。一方、導光路１５の上面及び側面は、例えば鏡面仕上げとなっている。入射部１６には光源であるＬＥＤ１７が配され、このＬＥＤ１７からの光が導光路１５に入射して導光路１５内を伝播するようになっている。なお、ハウジング１０と導光板１４ａ，１４ｂ（導光路１５の底面）との間には導光路１５内を伝播する光が下方に漏れないように光漏れ防止のシート１８が介在している。また、側方への光漏れは、後述する文字板５ａ，５ｂが導光板１４ａ，１４ｂを覆うことにより防止される。
【００１５】
また、導光板１４ａ，１４ｂの一部はそれぞれ隣接する液晶表示部４に前方から重なるように配される。換言すれば、液晶表示部４の左右が一部導光板１４ａ，１４ｂと重なって、導光板１４ａ，１４ｂの後方に隠れるようになっている。
【００１６】
スピードメータ２及びタコメータ３の文字板５ａ，５ｂは、前方から導光板１４ａ，１４ｂ（導光路１５）を覆うとともに、開口部１２ａ，１２ｂを閉成するように設けられている。文字板５ａ，５ｂは、それぞれ目盛７ａ，７ｂと、その目盛７ａ，７ｂのスケール等を示す表示文字６ａ，６ｂとを備え、これらの目盛７ａ，７ｂ及び表示文字６ａ，６ｂはともに透光性を有している。そして、文字板５ａ，５ｂの後方から光が照射されることによって、車載用計測器１の正面からこれらの目盛７ａ，７ｂ及び表示文字６ａ，６ｂが視認されるようになっている。なお、文字板５ａ，５ｂの目盛７ａ，７ｂ及び表示文字６ａ，６ｂ以外の部分は遮光性を有し、その裏面は光を反射するように白色塗装等の加工がなされている。
【００１７】
表示文字６ａ，６ｂは、文字板５ａ，５ｂ上の導光路１５を覆う部分２３に導光路１５に沿って円弧状に配され、その内側の開口部１２ａ，１２ｂを閉成する部分２４に目盛７ａ，７ｂが同じく円弧状に配されている。これによって、表示文字６ａ，６ｂは、導光板１４ａ，１４ｂを介してＬＥＤ１７からの光でバック照明されることとなる。すなわち、ＬＥＤ１７の光は導光路１５内で底面や側面等で反射しながら、表示文字６ａ，６ｂで透過して正面に向かって出射する。これによって、表示文字６ａ，６ｂが導光板１４ａ，１４ｂ内を伝播する光によって透過照明されることとなる。
【００１８】
一方、目盛７ａ，７ｂは、ＬＥＤ１７とは別の光源である空間１１ａ，１１ｂ内に設けられたＬＥＤ（図示略）からの光でバック照明される。すなわち、ＬＥＤの光は空間１１ａ，１１ｂ内で側面や文字板５ａ，５ｂの裏面等で反射しながら、目盛７ａ，７ｂで透過して正面に向かって出射する。これによって、目盛７ａ，７ｂがＬＥＤ１７とは別の光源であるＬＥＤの光によって透過照明されることとなる。
【００１９】
この実施の形態に係る車載用計測器１では、ハウジング１０の空間１１ａ，１１ｂの開口部１２ａ，１２ｂにその外周に沿って円弧状の導光板１４ａ，１４ｂが設けられ、スピードメータ２及びタコメータ３の文字板５ａ，５ｂが前方から導光板１４ａ，１４ｂを覆うとともに開口部１２ａ，１２ｂを閉成し、スピードメータ２及びタコメータ３の透光性を有する表示文字６ａ，６ｂが、文字板５ａ，５ｂ上の導光板１４ａ，１４ｂを覆う部分２３に配されて、導光板１４ａ，１４ｂ内を伝播する光によって後方から透過照明されるようになっているので、空間１１ａ，１１ｂから開口部１２ａ，１２ｂに向けて目盛７ａ，７ｂを照明するのとは別に、導光板１４ａ，１４ｂを伝播するＬＥＤ１７の光によって、スピードメータ２及びタコメータ３の外周を円弧状に照明しながら、目盛７ａ，７ｂの外側に位置する表示文字６ａ，６ｂも照明することができる。したがって、スピードメータ２やタコメータ３の隣に液晶表示部４等がある場合であっても、単独で照明される表示文字６ａ，６ｂ（導光板１４ａ，１４ｂ）を液晶表示部４の前方から一部重ねて（あるいは極力近づけて）配置することができ、従来の車載用計測器のように、スピードメータ２やタコメータ３の径を小さくしたり、あるいは車載用計測器１自体を大きくしたりする必要がない。これによって、スピードメータ２やタコメータ３の外周を円弧状に照明しながら、視認性を維持・向上しつつ、かつコンパクト化も図ることが可能となる。
【００２０】
なお、本発明は上述した実施例に限られるものではなく、例えば本実施の形態に係る車載用計測器では、表示文字を文字板上の導光板を覆う部分に配することとしたが、これに限定されるものではなく、例えば表示文字の代わりに、あるいは表示文字とともに目盛を導光板を覆う部分に配するようにしてもよい。
【図面の簡単な説明】
【００２１】
【図１】本実施の形態に係る車載用計測器を示す正面図である。
【図２】図１の車載用計測器の構成を模式的に示し、（ａ）は正面図であり、（ｂ）は（ａ）のＡ−Ａ位置における断面図である。
【図３】図１の車載用計測器の導光板を示し、（ａ）は正面図であり、（ｂ）は底面図である。
【符号の説明】
【００２２】
１              車載用計測器
２              スピードメータ（アナログメータ）
３              タコメータ（アナログメータ）
４              液晶表示部
５ａ，５ｂ      文字板
６ａ，６ｂ      表示文字（表示文字群）
７ａ，７ｂ      目盛（目盛群）
１０            ハウジング
１１ａ，１１ｂ  空間
１２ａ，１２ｂ  開口部
１４ａ，１４ｂ  導光板（導光体）
【図１】
2006194613.tif 000003
【図２】
2006194613.tif 000004
【図３】
2006194613.tif 000005